(57)【要約】【課題】上筐体が下筐体に対して短手方向にスライドするとともに斜めに開けられるスライド式電子装置を提供すること。【解決手段】本発明に係るスライド式電子装置は、キーボード部を有する下筐体と、表示パネルが設置された上筐体と、少なくとも１つのリンク部品と、少なくとも１つの弾性部品と、を備えてなる。前記上筐体が前記下筐体に対して開けられる際、前記弾性部品が伸張するとともに、前記リンク部品を誘導して前記下筐体に連結する一端を軸として回転させる。従って、前記上筐体の一端は前記下筐体に対して傾くように持ち上げられ、前記上筐体の他端は前記下筐体の上面に沿ってスライドし、前記弾性部品は前記リンク部品と一緒に前記上筐体を支持して、前記上筐体を前記下筐体に対して傾斜するように位置決めする。【選択図】図５
2011139017.tif 000002
【特許請求の範囲】
【請求項１】
キーボード部を有する下筐体と、表示パネルが設置された上筐体と、少なくとも１つのリンク部品と、少なくとも１つの弾性部品と、を備えてなるスライド式電子装置において、
前記リンク部品の両端はそれぞれ前記上筐体及び前記下筐体に回転可能に連結され、前記弾性部品の両端もそれぞれ前記上筐体及び前記下筐体に連結し且つ圧縮された状態で前記上筐体と下筐体との間に収納され、
前記上筐体が前記下筐体に対して開けられる際、前記弾性部品が伸張するとともに、前記リンク部品を誘導して前記下筐体に連結する一端を軸として回転させ、
従って、前記上筐体の一端は前記下筐体に対して傾くように持ち上げられ、前記上筐体の他端は前記下筐体の上面に沿ってスライドし、
前記弾性部品は前記リンク部品と一緒に前記上筐体を支持して、前記上筐体を前記下筐体に対して傾斜するように位置決めすることを特徴とするスライド式電子装置。
【請求項２】
前記下筐体の上面の両側には、前記下筐体の短手方向に沿ってそれぞれ第一収容溝が設けられ、前記上筐体の下面には、各第一収容溝に対応する２つの第二収容溝が設けられ、前記リンク部品の一端は回転可能に前記第一収容溝に連結され、もう一端は対応する前記第二収容溝に回転可能に連結されることを特徴とする請求項１に記載のスライド式電子装置。
【請求項３】
前記第一収容溝内には第一ヒンジ軸が装着され、前記第二収容溝内には第三ヒンジ軸が装着され、前記リンク部品の両端にはそれぞれ軸穴が設けられ、前記２つの軸穴にそれぞれ前記第一ヒンジ軸と第三ヒンジ軸とを通して設置することにより、前記リンク部品を前記第一ヒンジ軸と第三ヒンジ軸とに回転可能に連結することを特徴とする請求項２に記載のスライド式電子装置。
【請求項４】
前記第一収容溝内には第二ヒンジ軸が装着され、前記第二収容溝内には第四ヒンジ軸が装着され、前記弾性部品の両端はそれぞれ前記第二ヒンジ軸と第四ヒンジ軸とに連結し、且つ前記上筐体が前記下筐体に対して閉じられた時に、圧縮された状態で前記第一収容溝と第二収容溝とからなる収容空間内に収納されることを特徴とする請求項２に記載のスライド式電子装置。
【請求項５】
前記第一ヒンジ軸と第二ヒンジ軸とが間隔をあけて設置され、前記第三ヒンジ軸と第四ヒンジ軸とも間隔をあけて設置され、前記第一ヒンジ軸、前記第二ヒンジ軸、前記第三ヒンジ軸及び前記第四ヒンジ軸はそれぞれ前記上筐体のスライド方向に直交して設置されることを特徴とする請求項４に記載のスライド式電子装置。
【請求項６】
前記弾性部品は、弾性的な板バネ、または伸縮できる２つのロッド部が互いに係合するように構成されることを特徴とする請求項１に記載のスライド式電子装置。
【請求項７】
前記上筐体と下筐体との間には、両者を安定して閉じ合わせるために用いられるロック手段が設置され、前記ロック手段は、前記上筐体の下面に設置された第一磁石及び前記下筐体の上面に設置された第二磁石を含むことを特徴とする請求項１に記載のスライド式電子装置。
【請求項８】
前記ロック手段は、前記上筐体の下面に設置されたクリップ及び前記下筐体の上面に設置された前記クリップに組み合せるスロットから構成されることを特徴とする請求項７に記載のスライド式電子装置。
【発明の詳細な説明】
【技術分野】
【０００１】
本発明は、スライド式電子装置に関し、特に上筐体が下筐体に対して短手方向にスライドするとともに斜めに開けられるスライド式電子装置に関するものである。
【背景技術】
【０００２】
現在市販されている電子装置は、一般的には、相対的に回転するかまたは相対的にスライドできる上筐体及び下筐体を含む。例えば、スライド式電子装置においては、前記上筐体を前記下筐体に対してスライドさせることができる。
【発明の概要】
【発明が解決しようとする課題】
【０００３】
従来のスライド式電子装置において、上筐体は下筐体の長手方向に沿ってスライドするので、スクリーンの視角をキーボードに対して調整できないという欠点がある。その結果、ユーザーはスクリーンを見るために視線を上へ移動し、また、キーボードを見るために視線を下へ移動しなければならない。このような繰り返し動作は、ユーザーの首に負担をかける。
【０００４】
最近、通信技術の飛躍的な発展に伴い、携帯電子装置のデザインに対する要求も段々高くなり、前記携帯電子装置における上筐体と下筐体との間の開閉機構は、携帯電子装置のデザインに関する重要な要素になった。従来の折り畳み式または縦方向スライド式以外の新しい開閉機構を備えた電子装置が望まれている。
【０００５】
以上の問題点に鑑みて、本発明の目的は、上筐体が下筐体に対して短手方向にスライドするとともに斜めに開けられるスライド式電子装置を提供することにある。
【課題を解決するための手段】
【０００６】
前記問題を解決するために、本発明に係るスライド式電子装置は、キーボード部を有する下筐体と、表示パネルが設置された上筐体と、少なくとも１つのリンク部品と、少なくとも１つの弾性部品と、を備えてなる。前記上筐体が前記下筐体に対して開けられると、前記弾性部品が伸張するとともに、前記リンク部品を誘導して前記下筐体に連結する一端を軸として回転させる。従って、前記上筐体の一端は前記下筐体に対して傾くように持ち上げられ、前記上筐体の他端は前記下筐体の上面に沿ってスライドし、前記弾性部品は前記リンク部品と一緒に前記上筐体を支持して、前記上筐体を前記下筐体に対して傾斜するように位置決めする。
【発明の効果】
【０００７】
本発明に係るスライド式電子装置において、上筐体を下筐体に対して短手方向にスライドするとともに斜めに開くことができ、且つ所定の傾斜角度に位置決めできるので、ユーザーは前記上筐体の表示パネルに表示される画面を閲覧し易く、最もよい視覚効果を得られる。しかも、前記スライド式電子装置は、従来のスライドタイプとは異なる開閉機構を備えることから、デザイン性に富む。
【図面の簡単な説明】
【０００８】
【図１】本発明に係るスライド式電子装置の分解図である。
【図２】図１に示すスライド式電子装置の上筐体の背面図である。
【図３】図１に示すスライド式電子装置が組み立てられた後の開いた状態での背面斜視図である。
【図４】図１に示すスライド式電子装置が閉じられた状態での斜視図である。
【図５】本発明に係るスライド式電子装置が別の弾性素子を採用した時の開いた状態での背面斜視図である。
【発明を実施するための形態】
【０００９】
以下、図面を参照しながら、本発明の実施形態に係るスライド式電子装置について詳細に説明する。
【００１０】
図１に示したように、本発明の実施形態に係るスライド式電子装置１００は、下筐体１０と、上筐体２０と、２つのリンク部品３０と、２つの弾性部品４０と、複数のロック部品５０と、を備える。前記下筐体１０の前記上筐体２０に対面する上面において、前記下筐体１０の長手方向の片側（長手方向に対する左右方向の一方側）には、操作ボタン部１２が設置されており、前記下筐体１０の短手方向の両側（短手方向に対する左右両側）には、それぞれ矩形の第一収容溝１４が設けられている。各第一収容溝１４の前記操作ボタン部１２から離れている一端には、前記第一収容溝１４の長手方向に直交する第一ヒンジ軸１４２と第二ヒンジ軸１４４とが互いに離間して設置される。前記第一ヒンジ軸１４２の両端及び前記第二ヒンジ軸１４４の両端は、それぞれ前記第一収容溝１４の長手の両側壁に至るように着脱可能に装着されている。前記第一ヒンジ軸１４２は、前記第二ヒンジ軸１４４よりも前記第一収容溝１４の端部に近い箇所に設置され、且つ前記第一ヒンジ軸１４２と前記第一収容溝１４の底面との間の距離は、前記第二ヒンジ軸１４４と前記第一収容溝１４の底面との間の距離よりやや大きく、前記第一ヒンジ軸１４２は、前記下筐体１０の上面に近接している。前記下筐体１０の上面の四隅には、それぞれ第一磁石１６が設置されている。前記上筐体２０の上面には、表示パネル２２が設置されている。
【００１１】
図２に示したように、前記上筐体２０の前記下筐体１０に対面する下面において、前記上筐体２０の短手方向の両側には、前記下筐体１０の２つの第一収容溝１４に対応する２つの第二収容溝２４が設けられている。各第二収容溝２４には、前記第一収容溝１４の第一ヒンジ軸１４２及び第二ヒンジ軸１４４に対応する第三ヒンジ軸２４２及び第四ヒンジ軸２４４が互いに離間して装着されている。前記第三ヒンジ軸２４２は、前記第四ヒンジ軸２４４よりも前記第二収容溝２４の端部に近い箇所に設置され、且つ前記第三ヒンジ軸２４２と前記第二収容溝２４の底面との距離は、前記第四ヒンジ軸２４４と前記第二収容溝２４の底面との距離よりやや大きく、前記第三ヒンジ軸２４２は、前記上筐体２０の下面に近接している。前記上筐体２０の下面の四隅には、前記下筐体１０の第一磁石１６に対応する第二磁石２６が設置されている。前記スライド式電子装置１００が閉じられた場合、前記第一磁石１６と前記第二磁石２６とは互いに吸着して、前記上筐体２０を前記下筐体１０に対して安定して閉じ合わせる。
【００１２】
前記リンク部品３０は、細長い矩形のロッドであり、その両端にはそれぞれ１つの軸穴３２が設けられている。前記下筐体１０の第一ヒンジ軸１４２及び前記上筐体２０の第三ヒンジ軸２４２を、別々に前記リンク部品３０の両端の軸穴３２に貫通させることにより、前記リンク部品３０の両端をそれぞれ前記第一ヒンジ軸１４２及び第三ヒンジ軸２４２に回転可能に連結する。前記スライド式電子装置１００を閉じた後、前記リンク部品３０は前記第一収容溝１４と前記第二収容溝２４とからなる収容空間内に収納される。
【００１３】
前記弾性部品４０は、板バネ、コイルバネ及びトーションバネ等であってもよい。その両端はそれぞれ折り曲げられて軸筒４２を形成する。前記下筐体１０の第二ヒンジ軸１４４及び前記上筐体２０の第四ヒンジ軸２４４を、別々に前記弾性部品４０の両端の軸筒４２に貫通させることにより、前記弾性部品４０の両端をそれぞれ前記第二ヒンジ軸１４４及び第四ヒンジ軸２４４に回転可能に連結する。前記スライド式電子装置１００を閉じた後、前記弾性部品４０が湾曲して前記第一収容溝１４と前記第二収容溝２４とからなる収容空間内に収納される。
【００１４】
前記ロック部品５０は、前記上筐体２０を下筐体１０に対して安定して閉じ合わせるために用いられる。本実施形態において、前記ロック部品５０は、前記下筐体１０の四隅に設置された第一磁石１６及び前記上筐体２０の四隅に設置された第二磁石２６から構成される。
【００１５】
図１及び図３に示したように、前記スライド式電子装置１００を組み立てる場合、まず、前記第一ヒンジ軸１４２及び前記第三ヒンジ軸２４２をそれぞれ前記第一収容溝１４及び前記第二収容溝２４から取り出してから、前記リンク部品３０の両端の軸穴３２に前記第一ヒンジ軸１４２及び前記第三ヒンジ軸２４２をそれぞれ貫通させて設置する。同様に前記第二ヒンジ軸１４２及び前記第四ヒンジ軸２４４をそれぞれ前記前記第一収容溝１４及び前記第二収容溝２４から取り出してから、前記弾性部品４０の両端の軸筒４２に前記第二ヒンジ軸１４２及び前記第四ヒンジ軸２４４をそれぞれ貫通させて設置する。次に、前記第一ヒンジ軸１４２及び前記第二ヒンジ軸１４４を前記第一収容溝１４内に設置し、前記第三ヒンジ軸２４２及び前記第四ヒンジ軸２４４を前記第二収容溝２４内に装着して、前記スライド式電子装置１００を一体的に組み立てる。この場合、前記リンク部品３０及び前記弾性部品４０は略交差した状態で前記上筐体２０を支持し、前記リンク部品３０が前記上筐体２０を支持する高さと、前記弾性部品４０が前記上筐体２０を支持する高さと、が異なるため、前記上筐体２０は前記下筐体１０に対して斜めに開いた状態になる。
【００１６】
図３に示したように、前記スライド式電子装置１００を開く場合、前記上筐体２０を前記下筐体１０の短手方向に沿って推進すると、前記ロック部品５０は前記上筐体２０と前記下筐体１０とのロックを解除し、前記弾性部品４０は湾曲状態から伸張して前記上筐体の２０の一端を持ち上げるとともに、前記リンク部品３０を連動して前記下筐体１０に相対的に回転させる。従って、前記リンク部品３０と前記下筐体１０の上面との間の角度はだんだん大きくなる。前記の過程において、前記上筐体２０の一端は、前記リンク部品３０及び前記弾性部品４０に駆動されて前記下筐体１０に対して傾くように立ち上がるとともに、前記上筐体２０の他端は前記下筐体１０の上面に沿ってスライドする。前記弾性部品４０は最も長く伸張して、前記上筐体２０をさらに持ち上げることができない場合に、前記リンク部品３０も前記下筐体１０に対して所定の角度に回転する。この際、前記弾性部品４０は略弧状に立ち、且つ前記リンク部品３０と一緒に前記上筐体２０を支持しているから、前記上筐体２０が前記下筐体１０に対して完全に開かれて、且つその一端は前記下筐体１０の上面に当接されている。しかも、前記弾性部品４０の前記上筐体２０に対する支持角度と前記リンク部品３０の前記上筐体２０に対する支持角度とは異なるから、前記上筐体２０が前記下筐体１０に対して最適な傾斜角度に保たれる。
【００１７】
図３及び図４に示したように、前記スライド式電子装置１００を閉じる場合、前記上筐体２０の持ち上げられた一端を下へと押圧すると、前記２つの弾性部品４０が湾曲し、各リンク部品３０も連動して回転し、前記下筐体１０に対する傾斜角度は徐々に小さくなる。これと同時に、前記上筐体２０の前記下筐体１０に当接する一端は、前記下筐体１０の上面に沿ってスライドし、前記上筐体２０は、前記下筐体１０と重なり合うようになりつつ、さらに前記第一磁石１６と第二磁石２６との吸着力により、前記下筐体１０に貼り合わされる。この際、前記リンク部品３０及び前記弾性部品４０は、皆前記第一収容溝１４と第二収容溝２４とからなる収容空間内に収納される。
【００１８】
本発明によれば、前記スライド式電子装置１００の上筐体２０は、下筐体１０に対して短手方向にスライドするとともに斜めに開かれ、且つ所定の傾斜角度に位置決めされるから、ユーザーは前記上筐体２０の表示パネル２２に表示された画面を閲覧し易く、最もよい視覚効果を得られる。しかも、前記スライド式電子装置１００は、従来のスライドタイプとは異なる開閉機構を備えることから、デザイン性に富む。
【００１９】
図５を参照すると、本発明の第二実施形態に係るスライド式電子装置２００の弾性部品４０には、伸縮可能な２つのロッド部品６０を採用した。前記ロッド部品６０は、第一ロッド部６２及び第二ロッド部６４から構成される。前記第二ロッド部６４の直径は前記第一ロッド部６２の直径より小さいから、その一端が前記第一ロッド部６２内に収納できる。前記第一ロッド部６２内には、前記第二ロッド部６４の一端に当接するスプリング（図示せず）が装着されている。前記ロッド部品６０の両端には、それぞれ前記第一収容溝１４と第二収容溝２４内に装着されるヒンジ軸を貫通させ、また、スライド可能に前記第一収容溝１４と第二収容溝２４の側壁（図示せず）に沿って設けられたガイド溝６６内に装着させることができる。
【００２０】
また、前記ロック手段５０は、クリップとそれに組み合せるスロットを利用してもよい。例えば、前記上筐体２０上にクリップを設けて、前記下筐体の対応する部位にスロットを設ける。前記上筐体２０を前記下筐体１０に対してスライドすると、前記クリップは前記スロットから逸脱して、両者をロック状態から解除する。
【００２１】
また、２つの前記弾性部品４０を片側のみに設置してもよい。
【００２２】
また、２つの前記リンク部品３０の間に、両者を連接し且つ全体で回転する板状機構を設けてもよい。
【００２３】
また、前記上筐体２０又は前記下筐体１０の上に、それぞれ１つのロック手段５０を設置して、前記上筐体２０を前記下筐体１０に対して閉じた場合における前記弾性部品４０の弾性力を克服できるようにしてもよい。
【００２４】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのは言うまでもない。
【符号の説明】
【００２５】
１０    下筐体
１２    操作ボタン部
１４    第一収容溝
１６    第一磁石
２０    上筐体
２２    表示パネル
２４    第二収容溝
２６    第二磁石
３０    リンク部品
３２    軸穴
４０    弾性部品
４２    軸筒
５０    ロック手段
６０    ロッド部品
６２    第一ロッド部
６４    第二ロッド部
６６    ガイド溝
１００  スライド式電子装置
１４２  第一ヒンジ軸
１４４  第二ヒンジ軸
２００  スライド式電子装置
２４２  第三ヒンジ軸
２４４  第四ヒンジ軸
【図１】
2011139017.tif 000003
【図２】
2011139017.tif 000004
【図３】
2011139017.tif 000005
【図４】
2011139017.tif 000006
【図５】
2011139017.tif 000007